【手続補正書】
【提出日】平成16年8月27日(2004.8.27)
【手続補正１】
【補正対象書類名】明細書
【補正対象項目名】発明の名称
【補正方法】変更
【補正の内容】
【発明の名称】画像判別方法、画像判別装置、画像処理システム及びコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】
被写体に放射線を照射することにより得られた画像データを処理し、放射線が直接センサに照射された領域であるす抜け部が前記画像データ中に有るか否かを判別する画像判別方法であって、
前記画像データを代表する特性値を取得する特性値取得工程と、
放射線の照射領域に対応する前記画像データ中の画像領域を抽出し、当該画像領域の周辺部における画素値の中で前記特性値以上の画素値を有する画素の出現頻度を算出する出現頻度算出工程と、
前記出現頻度に基づいて前記画像データ中に前記す抜け部が有るか否かを判別する判別工程とを含むことを特徴とする画像判別方法。
【請求項２】
前記特性値取得工程は、前記画像データ中の画素値の最大値に基づく値を前記特性値として取得する工程を含むことを特徴とする請求項１に記載の画像判別方法。
【請求項３】
前記特性値取得工程は、前記照射領域に対応する画像データ領域の画素値のヒストグラムを作成する工程と、当該工程により作成されたヒストグラムの形状に基づいて前記特性値を取得する工程とを含むことを特徴とする請求項１に記載の画像判別方法。
【請求項４】
放射線が直接センサに照射された領域であるす抜け部が画像データ中に有るか否かを判別するためにコンピュータを機能させるためのプログラムを記憶したコンピュータ読み取り可能な記憶媒体であって、
前記画像データを代表する特性値を取得する特性値取得手段と、
放射線の照射領域に対応する前記画像データ中の画像領域を抽出し、当該画像領域の周辺部における画素値の中で前記特性値以上の画素値を有する画素の出現頻度を算出する出現頻度算出手段と、
前記出現頻度に基づいて前記画像データ中に前記す抜け部が有るか否かを判別する判別手段としてコンピュータを機能させるためのプログラムを記憶したことを特徴とするコンピュータ読み取り可能な記憶媒体。
【請求項５】
Ｘ線を被写体に照射するＸ線発生回路と、
前記被写体を透過したＸ線を電気信号に変換する２次元Ｘ線センサと、
前記電気信号を画像データに変換する処理回路と、
前記画像データを代表する特性値を取得する特性値取得手段と、
放射線の照射領域に対応する前記画像データ中の画像領域を抽出し、当該画像領域の周辺部における画素値の中で前記特性値以上の画素値を有する画素の出現頻度を算出する出現頻度算出手段と、
前記出現頻度に基づいて前記画像データ中に前記す抜け部が有るか否かを判別する判別手段とを備えることを特徴とする画像判別装置。
【請求項６】
複数の機器が互いに通信可能に接続されてなる画像処理システムであって、
前記複数の機器のうちの少なくとも１つの機器は、請求項１〜３の何れか１項に記載の画像判別方法の各工程を実行する機能を有することを特徴とする画像処理システム。
【手続補正３】
【補正対象書類名】明細書
【補正対象項目名】０００１
【補正方法】変更
【補正の内容】
【０００１】
【発明の属する技術分野】
本発明は、例えば、被写体を放射線撮影して得られた画像データに対して、当該画像データにおけるす抜け部（放射線が直接センサに照射される領域）の有無を判別する画像判別方法、画像判別装置、当該画像判別方法の各工程を実行する機能を有する画像処理システム、及び、当該判別するためにコンピュータを機能させるためのプログラムを記憶したコンピュータ読み取り可能な記憶媒体に関するものである。
【手続補正４】
【補正対象書類名】明細書
【補正対象項目名】０００５
【補正方法】変更
【補正の内容】
【０００５】
そこで、本発明は、上記の欠点を除去するために成されたもので、撮影した画像データにおけるす抜け部の有無を正確に判別することで、良好な画像処理を行うことが可能な画像判別方法、画像判別装置、画像処理システム及びコンピュータ読み取り可能な記憶媒体
を提供することを目的とする。
【手続補正５】
【補正対象書類名】明細書
【補正対象項目名】０００６
【補正方法】変更
【補正の内容】
【０００６】
【課題を解決するための手段】
本発明の画像判別方法は、被写体に放射線を照射することにより得られた画像データを処理し、放射線が直接センサに照射された領域であるす抜け部が前記画像データ中に有るか否かを判別する画像判別方法であって、前記画像データを代表する特性値を取得する特性値取得工程と、放射線の照射領域に対応する前記画像データ中の画像領域を抽出し、当該画像領域の周辺部における画素値の中で前記特性値以上の画素値を有する画素の出現頻度を算出する出現頻度算出工程と、前記出現頻度に基づいて前記画像データ中に前記す抜け部が有るか否かを判別する判別工程とを含む。
【手続補正６】
【補正対象書類名】明細書
【補正対象項目名】０００７
【補正方法】変更
【補正の内容】
【０００７】
本発明の画像判別方法における他の態様は、前記特性値取得工程は、前記画像データ中の画素値の最大値に基づく値を前記特性値として取得する工程を含む。
【手続補正７】
【補正対象書類名】明細書
【補正対象項目名】０００８
【補正方法】変更
【補正の内容】
【０００８】
また、本発明の画像判別方法におけるその他の態様は、前記特性値取得工程は、前記照射領域に対応する画像データ領域の画素値のヒストグラムを作成する工程と、当該工程により作成されたヒストグラムの形状に基づいて前記特性値を取得する工程とを含む。
【手続補正８】
【補正対象書類名】明細書
【補正対象項目名】０００９
【補正方法】変更
【補正の内容】
【０００９】
本発明のコンピュータ読み取り可能な記憶媒体は、放射線が直接センサに照射された領域であるす抜け部が画像データ中に有るか否かを判別するためにコンピュータを機能させるためのプログラムを記憶したコンピュータ読み取り可能な記憶媒体であって、前記画像データを代表する特性値を取得する特性値取得手段と、放射線の照射領域に対応する前記画像データ中の画像領域を抽出し、当該画像領域の周辺部における画素値の中で前記特性値以上の画素値を有する画素の出現頻度を算出する出現頻度算出手段と、前記出現頻度に基づいて前記画像データ中に前記す抜け部が有るか否かを判別する判別手段としてコンピュータを機能させるためのプログラムを記憶する。
【手続補正９】
【補正対象書類名】明細書
【補正対象項目名】００１０
【補正方法】変更
【補正の内容】
【００１０】
本発明の画像判別装置は、Ｘ線を被写体に照射するＸ線発生回路と、前記被写体を透過したＸ線を電気信号に変換する２次元Ｘ線センサと、前記電気信号を画像データに変換する処理回路と、前記画像データを代表する特性値を取得する特性値取得手段と、放射線の照射領域に対応する前記画像データ中の画像領域を抽出し、当該画像領域の周辺部における画素値の中で前記特性値以上の画素値を有する画素の出現頻度を算出する出現頻度算出手段と、前記出現頻度に基づいて前記画像データ中に前記す抜け部が有るか否かを判別する判別手段とを備える。
【手続補正１０】
【補正対象書類名】明細書
【補正対象項目名】００１１
【補正方法】変更
【補正の内容】
【００１１】
本発明の画像処理システムは、複数の機器が互いに通信可能に接続されてなる画像処理システムであって、前記複数の機器のうちの少なくとも１つの機器は、前記画像判別方法の各工程を実行する機能を有する。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】